(57)【要約】【課題】  安全性に配慮すると共に、２枚のシート間に十分な風を取り込むことができ、宣伝広告効果を最大限に発揮することができるのぼり旗を提供する。【解決手段】  のぼり旗１０は、旗１と、旗竿２と、旗１と旗竿２とを連結する旗取付部材３とを有しており、旗１は、２枚のシート１Ａ、１Ｂを重ね合わせると共に、短手方向の一方の端部近傍を長手方向に沿って断続的に綴じることによって形成された風穴４と、短手方向の他方の端部近傍に、旗取付部材３に係止される、２枚のシート１Ａ、１Ｂの各々に形成された係止穴５、５・・とを有し、旗取付部材３は、旗竿の外周面に対して回動自在な摺動部と、摺動部を中心として両側に延びる所定長の腕部と、腕部の端部側に形成された旗係止部とを有して旗１の係止穴５が、旗取付部材３の旗係止部に係止されている。【選択図】図１
2016194661.tif 000002
【特許請求の範囲】
【請求項１】
旗と、旗竿と、前記旗と前記旗竿とを連結する旗取付部材とを有するのぼり旗において、
前記旗は、２枚のシートを重ね合わせると共に、短手方向の一方の端部近傍を長手方向に沿って断続的に綴じることによって形成された風穴と、短手方向の他方の端部近傍に、前記旗取付部材に係止される、前記２枚のシートの各々に形成された係止穴とを有し、
前記旗取付部材は、前記旗竿の外周面に対して回動自在な摺動部と、該摺動部を中心として両側に延びる所定長の腕部と、該腕部の端部側に形成された旗係止部と、前記腕部間に架け渡されるようにして形成された光源体取付け部とを有し、
前記旗の係止穴が、前記旗取付部材の旗係止部に係止され、前記光源体取付け部に光源体が設置されていることを特徴とするのぼり旗。
【請求項２】
旗取付部材は、プラスチック板又は可撓性を有する樹脂にて形成されていることを特徴とする請求項１に記載ののぼり旗。
【請求項３】
旗竿の上端部に横棒の一方の端部近傍が回動自在に取り付けられおり、該横棒の他方の端部近傍は、旗の一方の上方角部近傍と連結していることを特徴とする請求項１又は２に記載ののぼり旗。
【請求項４】
旗取付部材の摺動部は、旗竿の外周面に対して回動自在であると共に、旗竿の抜けを防止する抜け止め片が形成されていることを特徴とする請求項１〜３のいずれか１項に記載ののぼり旗。
【請求項５】
光源体の周囲には、２枚のシート間に形成される空間を照らすように、反射部材が設置されていることを特徴とする請求項１〜４のいずれか１項に記載ののぼり旗。
【発明の詳細な説明】
【技術分野】
【０００１】
本発明は、文字や図柄等が記載された商業用の宣伝広告部材であるのぼり旗に関するものである。
【背景技術】
【０００２】
従来から、２枚のシートを重ね合わせて、一方の端部を断続的に綴じて、風を排出する風穴を形成すると共に、旗竿側の他方の端部に風を取り込む風穴を形成したのぼり旗が知られている（特許文献１参照）。こののぼり旗は、２枚のシートの間を風が吹き抜けるので、強風の時に、のぼり旗の左右の振れが小さく抑えられて安定した状態を保持することができるものであった。
【先行技術文献】
【特許文献】
【０００３】
【特許文献１】特開２００６−２５１７８９号公報
【発明の概要】
【発明が解決しようとする課題】
【０００４】
しかしながら、上記特許文献１に記載ののぼり旗は、風を取り込む側の風穴を、２枚のシート間にリングを縫い付けることによって形成しているため、該リングを金属で形成した場合には、通行人が旗に接触した場合に危険性を有するものであった。また、リングを柔らかなひも状部材で形成した場合には、風穴に十分な風を取り込むことができず、２枚のシートに記載されている宣伝広告内容を、通行人に視認され易くするという本来の目的を十分に達成することができなかった。
【０００５】
そこで、本発明は、安全性に配慮すると共に、２枚のシート間に十分な風を取り込むことができ、宣伝広告効果を最大限に発揮することができるのぼり旗を提供することを目的とする。
【課題を解決するための手段】
【０００６】
上記課題を解決するため、請求項１に記載の発明は、旗と、旗竿と、前記旗と前記旗竿とを連結する旗取付部材とを有するのぼり旗において、前記旗は、２枚のシートを重ね合わせると共に、短手方向の一方の端部近傍を長手方向に沿って断続的に綴じることによって形成された風穴と、短手方向の他方の端部近傍に、前記旗取付部材に係止される、前記２枚のシートの各々に形成された係止穴とを有し、前記旗取付部材は、前記旗竿の外周面に対して回動自在な摺動部と、該摺動部を中心として両側に延びる所定長の腕部と、該腕部の端部側に形成された旗係止部と、前記腕部間に架け渡されるようにして形成された光源体取付け部とを有し、前記旗の係止穴が、前記旗取付部材の旗係止部に係止され、前記光源体取付け部に光源体が設置されていることを特徴としている。したがって、旗取付部材を旗竿側に設けているので、通行人等が旗に触れた場合の安全性を確保することができる。また、２枚のシートからなる旗の旗竿側は、従来のような風穴では無く、２枚のシート間全体で形成される大きな開口から風を取り込むこととなるので、十分な風を取り込むことができる。さらに、風を取り込んだ状態では、２枚のシートが筒状となることから、２枚のシート表面に記載されている文字や図柄、写真印刷等の内容を通行人は、容易に視認することができ、広告宣伝効果を向上させることができる。また、２枚のシートに立体的な写真印刷を施すことによって、立体的な表現媒体として利用することも可能となる。また、旗取付部材に光源体が設置されていることによって、風が吹いた時の旗の動きに光源体が連動することとなるので、常に、のぼり旗の２枚のシート間の内部から光を発することができる。
【０００７】
また、請求項２に記載の発明は、請求項１の発明において、旗取付部材は、プラスチック板又は可撓性を有する樹脂にて形成されていることを特徴としている。したがって、風の強さによって、２枚のシート間に形成される開口の大きさを調節することができる。
【０００８】
また、請求項３に記載の発明は、請求項１又は２の発明において、旗竿の上端部に横棒の一方の端部近傍が回動自在に取り付けられおり、該横棒の他方の端部近傍は、旗の一方の上方角部近傍と連結していることを特徴としている。したがって、旗の向きを風の吹く方向に対応して変化させることができる。
【０００９】
また、請求項４に記載の発明は、請求項１〜３のいずれかの発明において、旗取付部材の摺動部は、旗竿の外周面に対して回動自在であると共に、旗竿の抜けを防止する抜け止め片が形成されていることを特徴としている。したがって、旗取付部材が旗竿から抜けることがないので安全である。また、既存ののぼり旗を活用して、本発明に係るのぼり旗へと改造することが容易であることから、のぼり旗の製造コストを抑えることができる。
【００１０】
また、請求項５に記載の発明は、請求項１〜４のいずれかの発明において、光源体の周囲には、２枚のシート間に形成される空間を照らすように、反射部材が設置されていることを特徴としている。したがって、光源体から発せられる光が反射部材によって集光され、２枚のシート間に形成される空間を明るく照らすことで提灯のような趣のある光を発するのぼり旗を提供することができる。
【発明の効果】
【００１１】
請求項１に記載ののぼり旗の発明により、安全性を確保することができると共に、十分な風を取り込むことができる。また、２枚のシート表面に記載されている文字や図柄、写真印刷等の内容を通行人は、容易に視認することができ、広告宣伝効果を向上させることができる。さらに、２枚のシートに立体的な写真印刷を施すことによって、立体的な表現媒体として利用することも可能となる。また、のぼり旗の２枚のシート間の内部から光を発することができる。
【００１２】
また、請求項２に記載の発明は、風の強さによって、２枚のシート間に形成される開口の大きさを調節することができる。
【００１３】
また、請求項３に記載の発明は、旗の向きを風の吹く方向に対応して変化させることができる。
【００１４】
また、請求項４に記載の発明は、のぼり旗の安全性を確保することができると共に、のぼり旗の製造コストを抑えることができる。
【００１５】
また、請求項５に記載の発明は、２枚のシート間に形成される空間を明るく照らすことで提灯のような趣のある光を発するのぼり旗を提供することができる。
【図面の簡単な説明】
【００１６】
【図１】本発明に係るのぼり旗の正面図である。
【図２】本発明に係るのぼり旗の右側面図である。
【図３】（ａ）本発明に係るのぼり旗を構成する旗の表面の一例を示す図である。（ｂ）同旗の裏面の一例を示す図である。
【図４】本発明に係るのぼり旗を構成する旗取付部材の第１実施形態を示す斜視図である。
【図５】本発明に係るのぼり旗を構成する旗取付部材の第１実施形態を示す平面図である。
【図６】本発明に係るのぼり旗が筒状に膨らむ原理を説明する図である。
【図７】本発明に係るのぼり旗に使用する横棒取付部材を示す正面図である。
【図８】本発明に係るのぼり旗を構成する旗取付部材の第２実施形態を示す平面図である。
【図９】本発明に係るのぼり旗を構成する旗取付部材の第３実施形態を示す斜視図である。
【図１０】本発明に係るのぼり旗を構成する旗取付部材の第３実施形態を示す平面図である。
【図１１】本発明に係るのぼり旗を構成する旗取付部材の第３実施形態を示す斜視図である。
【図１２】本発明に係るのぼり旗を構成する旗取付部材の第３実施形態を示す平面図である。
【図１３】第３実施形態の旗取付部材を搭載したのぼり旗の正面図である。
【図１４】（ａ）上部光源部材を示す縦断面図である。（ｂ）中央部光源部材を示す縦断面図である。（ｃ）下部光源部材を示す縦断面図である。
【発明を実施するための形態】
【００１７】
以下に、図面を用いて本発明の実施形態を説明する。図１は、本発明に係るのぼり旗の正面図であり、図２は、右側面図である。これらの図を用いて本発明に係るのぼり旗の概要を説明する。
【００１８】
本発明に係るのぼり旗１０は、旗１と、旗竿２とを有している。また、旗１と旗竿２は、４個の旗取付部材３、３・・によって連結されている。旗１は、２枚のシート１Ａ、１Ｂを重ね合わせると共に、短手方向の一方の端部側を長手方向に沿って断続的に糸で縫い合わせて綴じることによって複数の縫い合せ部４ａが形成されると共に、複数の風穴４が形成されている。また、短手方向の他方の端部側の近傍に、旗取付部材３、３・・に係止される複数の係止穴５、５・・が２枚のシート１Ａ、１Ｂの各々に形成されている。尚、最上部に位置する旗取付部材３の下方近傍の旗竿２側には、ストッパー８が固定されており、これにより、旗１の上端側が垂れて見苦しくなるのを防いでいる。また、旗取付部材３、３・・によって、２枚のシート１Ａ、１Ｂ間に開口１１が形成されている。
【００１９】
そして、旗竿２の上端部側に、横棒６の一方の端部側の近傍が、横棒取付部材７を介して回動自在に取り付けられおり、横棒６の他方の端部側の近傍は、旗１の一方の上方角部側の近傍と連結している。また、旗竿２の下端部側は、コンクリート等によって形成された固定台９に形成された孔部に挿入されて固定されている。
【００２０】
図３（ａ）は、本発明に係るのぼり旗を構成する旗の表面の一例を示す図であり、図３（ｂ）は、裏面の一例を示す図である。前述したとおり、本発明に係るのぼり旗１０を構成する旗１は、表面と裏面とが２枚のシート１Ａ、１Ｂにて形成されており、この２枚のシート１Ａ、１Ｂを重ね合わせると共に、短手方向の一方の端部側を長手方向に沿って断続的に糸で縫い合わせて綴じることによって複数の縫い合せ部４ａが形成されると共に、複数の風穴４が形成されている。さらに、旗１の一方の上方角部側の近傍には、前述した横棒６と連結するためのループ状の取り付け部が形成されている。
【００２１】
また、短手方向の他方の端部側の近傍に、旗取付部材３を係止するために、２枚のシートの各々に、複数の係止穴５、５・・が形成されている。尚、図３に示すように、旗１の表面と裏面とを異なる広告内容にしてもよいが、同じ広告内容であってもよいものである。また、図３においては、風穴４が、旗１の長手方向に沿って２箇所に形成されているが、１箇所又は３箇所以上であっても本発明に含まれるものである。
【００２２】
さらに、短手方向の他方の端部側の近傍の長手方向に沿って、旗取付部材３を係止するために、２枚のシートの各々に形成されている複数の係止穴５、５・・は、図３においては、４箇所に形成されているが、本発明は、これに限定するものではなく、旗取付部材の数に対応して形成されるものである。そして、係止穴５、５は、後述する旗取付部材３の旗係止部３３ａ、３３ｂに係止される。即ち、係止穴５、５は、旗取付部材３の旗係止部３３ａ、３３ｂに対応する２枚のシートの各々の位置に形成された係止部材としての役割を果たしている。
【００２３】
図４は、本発明に係るのぼり旗を構成する旗取付部材の第１実施形態を示す斜視図である。図４に示すように、旗取付部材３は、旗竿２の外周面に対して回動自在な摺動部３１と、摺動部３１を中心として両側に延びる所定長の腕部３２ａ、３２ｂと、この腕部３２ａ、３２ｂの端部側に形成された旗係止部３３ａ、３３ｂとを有している。
【００２４】
図４に示す旗取付部材３は、プラスチック板又は可撓性を有する樹脂にて形成されているのが望ましい。旗取付部材３が可撓性を有することによって、風の強さに対応して、２枚のシート間に形成される開口の大きさを調節することができる。
【００２５】
また、旗取付部材３の摺動部３１は、旗竿の外周面に対して回動自在であると共に、旗竿の抜けを防止する抜け止め片３１ａ、３１ｂが形成されている。したがって、旗取付部材３が旗竿から抜けることがないので安全である。また、既存ののぼり旗を活用して、本発明に係るのぼり旗へと改造することが容易であることから、のぼり旗の製造コストを抑えることができる。
【００２６】
図５は、本発明に係るのぼり旗を構成する旗取付部材の第１実施形態を示す平面図である。前述したとおり、第１実施形態の旗取付部材３は、摺動部３１と、腕部３２ａ、３２ｂと、旗係止部３３ａ、３３ｂとを有するものである。そして、摺動部３１に旗竿２を取り付けた状態では、旗竿２の断面中心から旗係止部３３ａ、３３ｂの折り返し箇所までの距離Ａ及びＢが等しくなるように形成されている。
【００２７】
また、旗取付部材３の腕部３２ａ、３２ｂの開き角度Ｃは、旗の大きさ及び旗取付部材の大きさを考慮して所定の角度に決定されるものであり、開き角度Ｃが決定されることによって、２枚のシート間に形成される開口の幅方向の長さＤが決定される。
【００２８】
図６は、本発明に係るのぼり旗が筒状に膨らむ原理を説明する図である。図６に示すように、旗竿２の後方から風Ａが吹いている場合には、この風Ａの一部が２枚のシート間に形成される開口１１から旗１の内部に入り込むこととなる。この時、旗１の内部に入り込んだ風Ａによって、２枚のシートには、力Ｂ及びＣが作用し、旗１は、筒状に膨らむこととなるのである。そして、旗１の内部に入り込んだ風Ａを旗１の上部開口、下部開口及び風穴４から放出されることによって、風Ａが強風の場合でものぼり旗１０が倒れることがないようにしている。
【００２９】
図７は、本発明に係るのぼり旗に使用する横棒取付部材を示す正面図である。図７に示すように、横棒取付部材７は、取付部材本体７１と、キャップ７２と、回動片７３とから構成されている。回動片７３は、横断面がＣの字状となるように形成されており、取付部材本体７１の回動軸７１ａに対して回動自在となるように嵌め込まれている。また、取付部材本体７１の上部には、横棒が挿入される貫通孔７１ｂが形成されていると共に、キャップ７２が螺合する雄ネジ７１ｃが形成されている。また、キャップ７２の内側には、取付部材本体７１の雄ネジ７１ｃと螺合する雌ネジ（図示せず）が形成されている。
【００３０】
上述のように構成された横棒取付部材７は、回転軸７１ａ及び回動片７３側が旗竿２の上部円筒部（図示せず）に挿嵌される。この時、旗竿２の上部円筒部の内壁と回動片７３の外周面とが嵌合することによって、取付部材本体７１とキャップ７２とは、旗竿２に対して回動自在となる。そして、貫通孔７１ｂに横棒が挿入された後、キャップ７２を締め付けることによって、取付部材本体７１側に横棒が固定されることとなる。このようにして、横棒は、旗竿２に対して回動自在に取り付けられる。また、前述したように、旗取付部材３の摺動部３１は、旗竿２の外周面に対して回動自在であることから、旗の向きを風の吹く方向に対応して変化させることができるので、旗取付部材３によって、２枚のシート間に形成される開口から旗１の内部に、風を容易に取り込むことができる。
【００３１】
図８は、本発明に係るのぼり旗を構成する旗取付部材の第２実施形態を示す平面図である。第２実施形態の旗取付部材２０は、平板状の旗取付部材本体２１と、２個のクリップ２２ａ、２２ｂとから構成されている。旗取付部材本体２１は、中央に旗竿２の外径よりも少し大きな直径の貫通孔２１ａが形成されている。この貫通孔２１ａを中心にして左右に等間隔の位置にクリップ取付孔２１ｂ、２１ｃが形成されている。
【００３２】
上述のように構成された第２実施形態の旗取付部材２０は、前述した旗１の２枚のシートの各々に形成されている係止穴５、５にクリップ２２ａ、２２ｂが取り付けられると共に、クリップ２２ａ、２２ｂは、旗取付部材本体２１のクリップ取付孔２１ｂ又は２１ｃに取り付けられる。そして、旗取付部材本体２１の貫通孔２１ａに旗竿２が挿入されることによって、旗竿２に旗１が取り付けられる。尚、図１及び図２において説明したストッパー８を最上部に位置する旗取付部材２０の下方近傍の旗竿２側に固定することによって、旗１の上端側が垂れて見苦しくなるのを防ぐことができる。
【００３３】
したがって、旗取付部材２０によって、旗１の２枚のシート間に開口が形成され、この開口から旗１の内部に風を取り込むことを可能にしている。また、貫通孔２１ａによって、旗取付部材本体２１が旗竿２に対して回動自在となっている。さらに、前述したように、横棒は、旗竿２に対して回動自在に取り付けられるので、旗１の向きを風の吹く方向に対応して変化させることができるので、旗取付部材２０によって、２枚のシート間に形成される開口から旗１の内部に、風を容易に取り込むことができる。
【００３４】
図９は、本発明に係るのぼり旗を構成する旗取付部材の第３実施形態を示す斜視図であり、図１０は、同第３実施形態の平面図である。また、図１１は、同第３実施形態を光源体側から見た斜視図であり、図１２は、同第３実施形態において、差し込み片の係止状態を解除した状態を示す平面図である。これらの図を用いて旗取付部材の第３実施形態について説明する。
【００３５】
第３実施形態の旗取付部材４０ａは、旗竿の外周面に対して回動自在な摺動部４１と、摺動部４１を中心として両側に延びる所定長の腕部４２ａ、４２ｂと、この腕部４２ａ、４２ｂの端部側に形成された旗係止部４３ａ、４３ｂとを有している。また、旗係止部４３ａ、４３ｂの先端部には、旗係止部４３ａ、４３ｂの長手方向に対して直交する方向に折り曲げられた折り曲げ片４４ａ、４４ｂが形成されている。この折り曲げ片４４ａ、４４ｂは、旗係止部４３ａ、４３ｂの係止穴５への挿入を容易にしている。
【００３６】
第３実施形態の旗取付部材４０ａは、第１実施形態の旗取付部材３と同様に、プラスチック板又は可撓性を有する樹脂にて形成されているのが望ましい。旗取付部材４０ａが可撓性を有することによって、風の強さに対応して、２枚のシート間に形成される開口の大きさを調節することができる。
【００３７】
また、第３実施形態の旗取付部材４０ａの摺動部４１は、第１実施形態の旗取付部材３と同様に、旗竿の外周面に対して回動自在であると共に、旗竿の抜けを防止する抜け止め片４１ａ、４１ｂが形成されている。したがって、旗取付部材４０ａが旗竿から抜けることがないので安全である。また、既存ののぼり旗を活用して、本発明に係るのぼり旗へと改造することが容易であることから、のぼり旗の製造コストを抑えることができる。
【００３８】
さらに、第３実施形態の旗取付部材４０ａは、腕部４２ａ、４２ｂ間に架け渡されるようにして形成された光源体取付け部４５ａを有しており、この光源体取付け部４５ａの中間部には、光源体４８及び光源部材４６ａが取り付けられている。尚、図１１における符号４７は、光源体４８が接続されるソケットであり、このソケット４７に、２本の電線４９ａ、４９ｂの一方の端部が接続されている。光源体４８は、消費電力及び耐久性を考慮すると、ＬＥＤが好ましいが、白熱灯や蛍光灯を適用することも可能である。
【００３９】
また、光源体取付け部４５ａの先端部４５ｂは、差し込み片４５ｃを備えており、この差し込み片４５ｃは、腕部４２ｂの旗係止部４３ｂによって形成された隙間に挿入されて係止されている（図９〜図１１参照）。そして、差し込み片４５ｃを持ち上げて旗係止部４３ｂによって形成された隙間から離脱させることによって、係止が解除された状態となる（図１２参照）。
【００４０】
第３実施形態の旗取付部材４０ａに、旗の係止穴５を係止させる場合には、図１２に示す状態で作業が行われる。即ち、先ず、シート１Ｂに形成されている係止穴５（図３参照）に折り曲げ片４４ｂから通して、シート１Ｂを旗係止部４３ｂに係止させる。次に、光源体取付け部４５ａの先端部４５ｂに形成された差し込み片４５ｃを持ち上げて旗係止部４３ｂによって形成された隙間に挿入することによって、係止状態となるのである（図９〜図１１参照）。
【００４１】
図１３は、第３実施形態の旗取付部材を搭載したのぼり旗の正面図である。この図に示すように、のぼり旗１０ａの旗竿２には、パネル取付部材５２ａ、５２ｂを介して太陽光発電パネル５１が設置されている。この太陽光発電パネル５１により発電された電力は、電線５３ａ、５３ｂ及び充放電コントローラー５４を介してバッテリー５５に蓄電される構成としている。尚、充放電コントローラー５４とバッテリー５５は、固定台９の内部に設置する構成としている。
【００４２】
また、バッテリー５５は、第３実施形態の旗取付部材４０ａ、４０ｂ、４０ｃの各々から延出している電線４９ａ、４９ｂ・・と接続されている。即ち、旗取付部材４０ａ、４０ｂ、４０ｃの各々に設置された光源体４８、・・と並列接続することによって、各々の光源体４８、・・が発する光の明るさを等しくしている。尚、その他の構成は、図１で示したのぼり旗１０の構成と同様であるので、説明は省略する。
【００４３】
図１４（ａ）は、上部光源部材を示す縦断面図である。図１４（ｂ）は、中央部光源部材を示す縦断面図である。図１４（ｃ）は、下部光源部材を示す縦断面図である。これらの図面を用いて、第３実施形態の旗取付部材を構成する光源部材について説明する。上部光源部材４６ａ、中央部光源部材４６ｂ、下部光源部材４６ｃの各々は、前述した光源体取付け部４５ａに固定されており、ソケット４７を有するものであって、このソケット４７に光源体４８が接続されている。尚、ソケット４７には、２本の電線の一方の端部が接続されているが図１４においては図示していない。
【００４４】
そして、各々の光源体４８、・・の周囲には、反射部材５０ａ、５０ｂ、５０ｃが設置されている。この反射部材５０ａ、５０ｂ、５０ｃの内側（光源体４８に面する側）は、銀メッキ処理又は鏡面処理が施されている。また、上部光源部材４６ａの反射部材５０ａの開口部は、下方が旗竿側に近づくように傾斜して形成されており、中央部光源部材４６ｂの反射部材５０ｂの開口部は、旗竿の長手方向に対して平行となるように形成されており、下部光源部材４６ｃの反射部材５０ｃの開口部は、上方が旗竿側に近づくように傾斜して形成されている。このように構成することによって、光源体４８、・・から発せられる光が反射部材によって集光され、２枚のシート間に形成される空間の中央部を明るく照らすことで提灯のような趣のある光を発するのぼり旗を提供することができる。
【００４５】
上述のように、第３実施形態の旗取付部材４０ａ、４０ｂ、４０ｃを備えたのぼり旗１０ａは、旗取付部材４０ａ、４０ｂ、４０ｃに光源体４８、・・が設置されていることによって、風が吹いた時の旗の動きに光源体４８が連動することとなるので、常に、のぼり旗１０ａの２枚のシート間に形成された空間から光を発することができる。
【産業上の利用可能性】
【００４６】
本発明ののぼり旗は、文字や図柄等が記載された商業用の宣伝広告部材として、利用される。
【符号の説明】
【００４７】
１  旗
２  旗竿
３、２０、４０ａ、４０ｂ、４０ｃ、４０ｄ  旗取付部材
４  風穴
４ａ  縫い合せ部
５  係止穴
６  横棒
７  横棒取付部材
８  ストッパー
９  固定台
１０、１０ａ  のぼり旗
１１  開口
３１、４１  摺動部
３１ａ、３１ｂ、４１ａ、４１ｂ  抜け止め片
３２ａ、３２ｂ、４２ａ、４２ｂ  腕部
３３ａ、３３ｂ、４３ａ、４３ｂ  旗係止部
４５ａ  光源体取付け部
４６ａ、４６ｂ、４６ｃ  光源部材
４７  ソケット
４８  光源体
４９ａ、４９ｂ、５３ａ、５３ｂ  電線
５０ａ、５０ｂ、５０ｃ  反射部材
５１  太陽光発電パネル
５２ａ、５２ｂ  パネル取付部材
５４  充放電コントローラー
５５  バッテリー
【図１】
2016194661.tif 000003
【図２】
2016194661.tif 000004
【図３】
2016194661.tif 000005
【図４】
2016194661.tif 000006
【図５】
2016194661.tif 000007
【図６】
2016194661.tif 000008
【図７】
2016194661.tif 000009
【図８】
2016194661.tif 000010
【図９】
2016194661.tif 000011
【図１０】
2016194661.tif 000012
【図１１】
2016194661.tif 000013
【図１２】
2016194661.tif 000014
【図１３】
2016194661.tif 000015
【図１４】
2016194661.tif 000016